(57)【要約】本明細書の一開示は、ユーザ装置（Ｕｓｅｒ  Ｅｑｕｉｐｍｅｎｔ：ＵＥ）がＳＳＢ（Ｓｙｎｃｈｒｏｎｉｚａｔｉｏｎ  Ｓｉｇｎａｌ  Ｂｌｏｃｋ）を受信する方法を提供する。前記方法は、多数のＳＳＢの周波数位置を決定するステップと、前記多数のＳＳＢのうち少なくとも一つのＳＳＢを受信するステップと、を含む。前記多数のＳＳＢは、あらかじめ決定されたオフセットほど互いに離隔されて配置されるように設定されている。前記少なくとも一つのＳＳＢは、周波数軸で１．２ＭＨｚの間隔に位置する。【選択図】図７ａ
2020500453.tif 000002
【特許請求の範囲】
【請求項１】
ユーザ装置（Ｕｓｅｒ  Ｅｑｕｉｐｍｅｎｔ：ＵＥ）がＳＳＢ（Ｓｙｎｃｈｒｏｎｉｚａｔｉｏｎ  Ｓｉｇｎａｌ  Ｂｌｏｃｋ）を受信する方法であって、
多数のＳＳＢの周波数位置を決定するステップと、
前記多数のＳＳＢのうち少なくとも一つのＳＳＢを受信するステップと、を含み、
前記多数のＳＳＢは、あらかじめ決定されたオフセットほど互いに離隔されて配置されるように設定されており、
前記少なくとも一つのＳＳＢは、周波数軸で１．２ＭＨｚの間隔に位置する、ことを特徴とする、方法。
【請求項２】
前記多数のＳＳＢは、少なくとも三つのＳＳＢを含むことを特徴とする、請求項１に記載の方法。
【請求項３】
前記あらかじめ決定されたオフセットは、１００ｋＨｚであることを特徴とする、請求項１に記載の方法。
【請求項４】
前記少なくとも一つのＳＳＢは、セルの中心周波数に位置しないことを特徴とする、請求項１に記載の方法。
【請求項５】
前記周波数位置は、シンクラスタ（ｓｙｎｃｈｒｏｎｉｚａｔｉｏｎ  ｒａｓｔｅｒ）により定義されることを特徴とする、請求項１に記載の方法。
【請求項６】
前記シンクラスタは、チャネルラスタと異なることを特徴とする、請求項５に記載の方法。
【請求項７】
前記少なくとも一つのＳＳＢは、
ＰＳＳ（ｐｒｉｍａｒｙ  ｓｙｎｃｈｒｏｎｉｚａｔｉｏｎ  ｓｉｇｎａｌ）、ＳＳＳ（ｓｅｃｏｎｄａｒｙ  ｓｙｎｃｈｒｏｎｉｚａｔｉｏｎ  ｓｉｇｎａｌ）、及びＰＢＣＨ（ｐｈｙｓｉｃａｌ  ｂｒｏａｄｃａｓｔ  ｃｈａｎｎｅｌ）を含むことを特徴とする、請求項１に記載の方法。
【請求項８】
ＳＳＢ（Ｓｙｎｃｈｒｏｎｉｚａｔｉｏｎ  Ｓｉｇｎａｌ  Ｂｌｏｃｋ）を受信するユーザ装置（Ｕｓｅｒ  Ｅｑｕｉｐｍｅｎｔ：ＵＥ）であって、
送受信部と、
前記送受信部を制御するプロセッサと、を含み、
前記プロセッサは、多数のＳＳＢの周波数位置を決定した後、前記送受信部を制御して前記多数のＳＳＢのうち少なくとも一つのＳＳＢを受信し、
前記多数のＳＳＢは、あらかじめ決定されたオフセットほど互いに離隔されて配置されるように設定されており、
前記少なくとも一つのＳＳＢは、周波数軸で１．２ＭＨｚの間隔に位置する、ことを特徴とする、ユーザ装置。
【請求項９】
前記多数のＳＳＢは、少なくとも三つのＳＳＢを含むことを特徴とする、請求項８に記載のユーザ装置。
【請求項１０】
前記あらかじめ決定されたオフセットは、１００ｋＨｚであることを特徴とする、請求項８に記載のユーザ装置。
【請求項１１】
前記少なくとも一つのＳＳＢは、セルの中心周波数に位置しないことを特徴とする、請求項８に記載のユーザ装置。
【請求項１２】
前記周波数位置は、シンクラスタ（ｓｙｎｃｈｒｏｎｉｚａｔｉｏｎ  ｒａｓｔｅｒ）により定義されることを特徴とする、請求項８に記載のユーザ装置。
【請求項１３】
前記シンクラスタは、チャネルラスタと異なることを特徴とする、請求項１２に記載のユーザ装置。
【請求項１４】
前記少なくとも一つのＳＳＢは、
ＰＳＳ（ｐｒｉｍａｒｙ  ｓｙｎｃｈｒｏｎｉｚａｔｉｏｎ  ｓｉｇｎａｌ）、ＳＳＳ（ｓｅｃｏｎｄａｒｙ  ｓｙｎｃｈｒｏｎｉｚａｔｉｏｎ  ｓｉｇｎａｌ）、及びＰＢＣＨ（ｐｈｙｓｉｃａｌ  ｂｒｏａｄｃａｓｔ  ｃｈａｎｎｅｌ）を含むことを特徴とする、請求項８に記載のユーザ装置。
【発明の詳細な説明】
【技術分野】
【０００１】
本発明は、移動通信に関する。
【背景技術】
【０００２】
第４世代移動通信のためのＬＴＥ（ｌｏｎｇ  ｔｅｒｍ  ｅｖｏｌｕｔｉｏｎ）／ＬＴＥ−Ａｄｖａｎｃｅｄ（ＬＴＥ−Ａ）の成功によって、次世代、即ち、第５世代（いわゆる５Ｇ）移動通信に対する関心も高まっており、研究も続々進行している。
【０００３】
５Ｇ  ＮＲでは端末が初期アクセスを実行するときに必要な情報、即ち、ＭＩＢを含むＰＢＣＨ（Ｐｈｙｓｉｃａｌ  Ｂｒｏａｄｃａｓｔ  Ｃｈａｎｎｅｌ）と同期信号（ＳＳ）（ＰＳＳ及びＳＳＳを含む）をＳＳブロックに定義する。そして、複数個のＳＳブロックを束ねてＳＳバーストと定義し、また、複数個数のＳＳバースト（ｂｕｒｓｔ）を束ねてＳＳバーストセットと定義することができる。各ＳＳブロックは、特定方向にビームフォーミングされていることを仮定しており、ＳＳバーストセット内にある多数のＳＳブロックは、各々、異なる方向に存在する端末をサポートするために設計されている。
【０００４】
一方、チャネルラスタは、アップリンク及びダウンリンクでＲＦチャネル位置を識別するときに使われることができるＲＦ基準周波数のサブセットを示す。他方、シンクラスタは、ＵＥがシステム情報を取得するときに使われるＳＳブロックの周波数位置を示す。
【０００５】
既存ＬＴＥ／ＬＴＥ−Ａでは同期信号がチャネル帯域幅（Ｃｈａｎｎｅｌ  Ｂａｎｄｗｉｄｔｈ：ＣＢＷ）の中心に位置したため、シンクラスタとチャネルラスタが同一に扱われた。
【０００６】
しかし、ＮＲではＳＳブロックがチャネル帯域幅（ＣＢＷ）の中央に位置しない。したがって、ＮＲ端末がＳＳブロックを効率的に受信するようにするために、シンクラスタを定義し、併せて端末の動作を改善する必要がある。
【発明の概要】
【発明が解決しようとする課題】
【０００７】
したがって、本明細書の開示は、前述した問題点を解決することを目的とする。
【課題を解決するための手段】
【０００８】
前述した目的を達成するために、本明細書の一開示は、ユーザ装置（Ｕｓｅｒ  Ｅｑｕｉｐｍｅｎｔ：ＵＥ）がＳＳＢ（Ｓｙｎｃｈｒｏｎｉｚａｔｉｏｎ  Ｓｉｇｎａｌ  Ｂｌｏｃｋ）を受信する方法を提供する。前記方法は、多数のＳＳＢの周波数位置を決定するステップと、前記多数のＳＳＢのうち少なくとも一つのＳＳＢを受信するステップと、を含む。前記多数のＳＳＢは、あらかじめ決定されたオフセットほど互いに離隔されて配置されるように設定されている。前記少なくとも一つのＳＳＢは、周波数軸で１．２ＭＨｚの間隔に位置する。
【０００９】
前記多数のＳＳＢは、少なくとも三つのＳＳＢを含む。
【００１０】
前記あらかじめ決定されたオフセットは、１００ｋＨｚである。
【００１１】
前記少なくとも一つのＳＳＢは、セルの中心周波数に位置しない。
【００１２】
前記周波数位置は、シンクラスタ（ｓｙｎｃｈｒｏｎｉｚａｔｉｏｎ  ｒａｓｔｅｒ）により定義される。
【００１３】
前記シンクラスタは、チャネルラスタと異なる。
【００１４】
前記少なくとも一つのＳＳＢは、ＰＳＳ（ｐｒｉｍａｒｙ  ｓｙｎｃｈｒｏｎｉｚａｔｉｏｎ  ｓｉｇｎａｌ）、ＳＳＳ（ｓｅｃｏｎｄａｒｙ  ｓｙｎｃｈｒｏｎｉｚａｔｉｏｎ  ｓｉｇｎａｌ）、及びＰＢＣＨ（ｐｈｙｓｉｃａｌ  ｂｒｏａｄｃａｓｔ  ｃｈａｎｎｅｌ）を含む。
【００１５】
前述した目的を達成するために、本明細書の一開示は、ＳＳＢ（Ｓｙｎｃｈｒｏｎｉｚａｔｉｏｎ  Ｓｉｇｎａｌ  Ｂｌｏｃｋ）を受信するユーザ装置（Ｕｓｅｒ  Ｅｑｕｉｐｍｅｎｔ：ＵＥ）を提供する。前記ユーザ装置は、送受信部と、前記送受信部を制御するプロセッサと、を含む。前記プロセッサは、多数のＳＳＢの周波数位置を決定した後、前記送受信部を制御して前記多数のＳＳＢのうち少なくとも一つのＳＳＢを受信する。前記多数のＳＳＢは、あらかじめ決定されたオフセットほど互いに離隔されて配置されるように設定されている。前記少なくとも一つのＳＳＢは、周波数軸で１．２ＭＨｚの間隔に位置する。
【発明の効果】
【００１６】
本明細書の開示によると、前述した従来技術の問題点が解決される。
【図面の簡単な説明】
【００１７】
【図１】無線通信システムである。
【図２】３ＧＰＰ  ＬＴＥにおいて、ＦＤＤによる無線フレーム（ｒａｄｉｏ  ｆｒａｍｅ）の構造を示す。
【図３】セル検出及び測定手順を示す。
【図４】ＮＲでのサブフレーム類型の例を示す。
【図５】ＮＲでＳＳブロックの例を示す例示図である。
【図６】ＮＲでビームスイーピングの例を示す例示図である。
【図７ａ】III−２節のオプション１によるシンクラスタの例示を示す。
【図７ｂ】III−２節のオプション２によるシンクラスタの例示を示す。
【図８ａ】III−３節のオプション３によるシンクラスタの例示を示す。
【図８ｂ】III−２節のオプション４によるシンクラスタの例示を示す。
【図９】ＲＭＳＩの位置を指示するためのシグナリングの例示を示す。
【図１０】本明細書の開示が実装される無線機器及び基地局を示すブロック図である。
【図１１】図１０に示す無線機器のトランシーバの詳細ブロック図である。
【図１２】図１１に示す無線機器のトランシーバの詳細ブロック図である。
【発明を実施するための形態】
【００１８】
以下、３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）または３ＧＰＰ  ＬＴＥ−Ａ（ＬＴＥ−Ａｄｖａｎｃｅｄ）に基づいて本発明が適用されることを記述する。これは例示に過ぎず、本発明は、多様な無線通信システムに適用されることができる。以下、ＬＴＥとは、ＬＴＥ及び／またはＬＴＥ−Ａを含む。
【００１９】
本明細書で使用される技術的用語は、単に特定の実施形態を説明するために使われたものであり、本発明を限定するものではないことに留意しなければならない。また、本明細書で使用される技術的用語は、本明細書で特別に他の意味で定義されない限り、本発明が属する技術分野において、通常の知識を有する者により一般的に理解される意味で解釈されなければならず、過度に包括的な意味または過度に縮小された意味で解釈されてはならない。また、本明細書で使用される技術的な用語が本発明の思想を正確に表現することができない技術的用語である場合、当業者が正確に理解することができる技術的用語に変えて理解しなければならない。また、本発明で使用される一般的な用語は、辞書の定義によってまたは前後の文脈によって解釈されなければならず、過度に縮小された意味で解釈されてはならない。
【００２０】
また、本明細書で使用される単数の表現は、文脈上、明白に異なる意味ではない限り、複数の表現を含む。本出願において、“構成される”または“有する”などの用語は、明細書上に記載された複数の構成要素、または複数のステップを必ず全部含むと解釈されてはならず、そのうち一部構成要素または一部ステップは含まないこともあり、または追加的な構成要素またはステップをさらに含むこともあると解釈されなければならない。
【００２１】
また、本明細書で使用される第１及び第２などのように序数を含む用語は、多様な構成要素の説明に使用されることができるが、前記構成要素は、前記用語により限定されてはならない。前記用語は、１つの構成要素を他の構成要素から区別する目的としてのみ使用される。例えば、本発明の権利範囲を外れない限り、第１の構成要素は第２の構成要素と命名することができ、同様に、第２の構成要素も第１の構成要素と命名することができる。
【００２２】
一構成要素が他の構成要素に“連結されている”または“接続されている”と言及された場合、該当他の構成要素に直接的に連結されており、または接続されていることもあるが、中間に他の構成要素が存在することもある。それに対し、一構成要素が他の構成要素に“直接連結されている”または“直接接続されている”と言及された場合、中間に他の構成要素が存在しないと理解しなければならない。
【００２３】
以下、添付図面を参照して本発明による好ましい実施形態を詳細に説明し、図面符号に関係なしに同じまたは類似の構成要素は同じ参照番号を付与し、これに対する重なる説明は省略する。また、本発明を説明するにあたって、関連した公知技術に対する具体的な説明が本発明の要旨を不明にすると判断される場合、その詳細な説明を省略する。また、添付図面は、本発明の思想を容易に理解することができるようにするためのものであり、添付図面により本発明の思想が制限されると解釈されてはならないことに留意しなければならない。本発明の思想は、添付図面の外に全ての変更、均等物乃至代替物にまで拡張されると解釈されなければならない。
【００２４】
以下で使用される用語である基地局は、一般的に無線機器と通信する固定局（ｆｉｘｅｄ  ｓｔａｔｉｏｎ）を意味し、ｅＮｏｄｅＢ（ｅｖｏｌｖｅｄ−ＮｏｄｅＢ）、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。
【００２５】
また、以下で使用される用語であるＵＥ（Ｕｓｅｒ  Ｅｑｕｉｐｍｅｎｔ）は、固定されてもよいし、移動性を有してもよく、機器（Ｄｅｖｉｃｅ）、無線機器（Ｗｉｒｅｌｅｓｓ  Ｄｅｖｉｃｅ）、端末（Ｔｅｒｍｉｎａｌ）、ＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  ｓｔａｔｉｏｎ）、ＭＴ（ｍｏｂｉｌｅ  ｔｅｒｍｉｎａｌ）等、他の用語で呼ばれることもある。
【００２６】
図１は、無線通信システムである。
【００２７】
図１を参照して分かるように、無線通信システムは、少なくとも１つの基地局（ｂａｓｅ  ｓｔａｔｉｏｎ、ＢＳ）２０を含む。各基地局２０は、特定の地理的領域（一般的にセルという）２０ａ、２０ｂ、２０ｃに対して通信サービスを提供する。また、セルは、複数の領域（セクターという）に分けられる。
【００２８】
ＵＥは、通常的に、１つのセルに属し、ＵＥが属するセルをサービングセル（ｓｅｒｖｉｎｇ  ｃｅｌｌ）という。サービングセルに対して通信サービスを提供する基地局をサービング基地局（ｓｅｒｖｉｎｇ  ＢＳ）という。無線通信システムは、セルラーシステム（ｃｅｌｌｕｌａｒ  ｓｙｓｔｅｍ）であるため、サービングセルに隣接する他のセルが存在する。サービングセルに隣接する他のセルを隣接セル（ｎｅｉｇｈｂｏｒ  ｃｅｌｌ）という。隣接セルに対して通信サービスを提供する基地局を隣接基地局（ｎｅｉｇｈｂｏｒ  ＢＳ）という。サービングセル及び隣接セルは、ＵＥを基準にして相対的に決定される。
【００２９】
以下、ダウンリンクは、基地局２０からＵＥ１０への通信を意味し、アップリンクは、ＵＥ１０から基地局２０への通信を意味する。ダウンリンクにおいて、送信機は基地局２０の一部分であり、受信機はＵＥ１０の一部分である。アップリンクにおいて、送信機はＵＥ１０の一部分であり、受信機は基地局２０の一部分である。
【００３０】
一方、無線通信システムは、大きくは、ＦＤＤ（ｆｒｅｑｕｅｎｃｙ  ｄｉｖｉｓｉｏｎ  ｄｕｐｌｅｘ）方式とＴＤＤ（ｔｉｍｅ  ｄｉｖｉｓｉｏｎ  ｄｕｐｌｅｘ）方式とに分けられる。ＦＤＤ方式によると、アップリンク送信とダウンリンク送信が互いに異なる周波数帯域を占めて行われる。ＴＤＤ方式によると、アップリンク送信とダウンリンク送信が同じ周波数帯域を占めて互いに異なる時間に行われる。ＴＤＤ方式のチャネル応答は、実質的に相互的（ｒｅｃｉｐｒｏｃａｌ）である。これは与えられた周波数領域でダウンリンクチャネル応答とアップリンクチャネル応答がほぼ同じであるということを意味する。したがって、ＴＤＤに基づく無線通信システムにおいて、ダウンリンクチャネル応答は、アップリンクチャネル応答から得られることができるという長所がある。ＴＤＤ方式は、全体周波数帯域をアップリンク送信とダウンリンク送信に時分割するため、基地局によるダウンリンク送信とＵＥによるアップリンク送信が同時に実行されることができない。アップリンク送信とダウンリンク送信がサブフレーム単位に区分されるＴＤＤシステムにおいて、アップリンク送信とダウンリンク送信は、互いに異なるサブフレームで実行される。
【００３１】
以下、ＬＴＥシステムに対し、より詳細に説明する。
【００３２】
図２は、３ＧＰＰ  ＬＴＥにおいて、ＦＤＤによる無線フレーム（ｒａｄｉｏ  ｆｒａｍｅ）の構造を示す。
【００３３】
図２を参照すると、無線フレームは、１０個のサブフレーム（ｓｕｂｆｒａｍｅ）を含み、１つのサブフレームは、２個のスロット（ｓｌｏｔ）を含む。無線フレーム内のスロットは、０から１９までのスロット番号が付けられる。１つのサブフレームの送信にかかる時間を送信時間区間（Ｔｒａｎｓｍｉｓｓｉｏｎ  Ｔｉｍｅ  ｉｎｔｅｒｖａｌ：ＴＴＩ）という。ＴＴＩは、データ送信のためのスケジューリング単位である。例えば、１つの無線フレームの長さは１０ｍｓであり、１つのサブフレームの長さは１ｍｓであり、１つのスロットの長さは０．５ｍｓである。
【００３４】
無線フレームの構造は、例示に過ぎず、無線フレームに含まれるサブフレームの数またはサブフレームに含まれるスロットの数等は、多様に変更されることができる。
【００３５】
一方、１つのスロットは、複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含むことができる。１つのスロットにいくつかのＯＦＤＭシンボルが含まれるかは、循環前置（ｃｙｃｌｉｃ  ｐｒｅｆｉｘ：ＣＰ、サイクリックプレフィックス）によって変わることができる。
【００３６】
１つのスロットは、周波数領域（ｆｒｅｑｕｅｎｃｙ  ｄｏｍａｉｎ）でＮＲＢ個のリソースブロック（ＲＢ）を含む。例えば、ＬＴＥシステムにおいてリソースブロック（ＲＢ）の個数、即ち、ＮＲＢは、６〜１１０のうち、いずれか１つでありうる。
【００３７】
リソースブロック（ｒｅｓｏｕｒｃｅ  ｂｌｏｃｋ：ＲＢ）は、リソース割当単位に、１つのスロットで複数の副搬送波を含む。例えば、１つのスロットが時間領域で７個のＯＦＤＭシンボルを含み、リソースブロックは、周波数領域で１２個の副搬送波を含むならば、１つのリソースブロックは、７×１２個のリソース要素（ｒｅｓｏｕｒｃｅ  ｅｌｅｍｅｎｔ：ＲＥ）を含むことができる。
【００３８】
３ＧＰＰ  ＬＴＥにおいて物理チャネルは、データチャネルであるＰＤＳＣＨ（Ｐｈｙｓｉｃａｌ  Ｄｏｗｎｌｉｎｋ  Ｓｈａｒｅｄ  Ｃｈａｎｎｅｌ）とＰＵＳＣＨ（Ｐｈｙｓｉｃａｌ  Ｕｐｌｉｎｋ  Ｓｈａｒｅｄ  Ｃｈａｎｎｅｌ）、及び制御チャネルであるＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）、並びにＰＵＣＣＨ（Ｐｈｙｓｉｃａｌ  Ｕｐｌｉｎｋ  Ｃｏｎｔｒｏｌ  Ｃｈａｎｎｅｌ）に分けることができる。
【００３９】
アップリンクチャネルは、ＰＵＳＣＨ、ＰＵＣＣＨ、ＳＲＳ（Ｓｏｕｎｄｉｎｇ  Ｒｅｆｅｒｅｎｃｅ  Ｓｉｇｎａｌ）、ＰＲＡＣＨ（Ｐｈｙｓｉｃａｌ  Ｒａｎｄｏｍ  Ａｃｃｅｓｓ  Ｃｈａｎｎｅｌ）を含む。
【００４０】
＜測定及び測定報告＞
【００４１】
移動通信システムにおいて、ＵＥ１００の移動性（ｍｏｂｉｌｉｔｙ）サポートは、必須である。したがって、ＵＥ１００は、現在サービスを提供するサービングセル（ｓｅｒｖｉｎｇ  ｃｅｌｌ）に対する品質及び隣接セルに対する品質を持続的に測定する。ＵＥ１００は、測定結果を適切な時間にネットワークに報告し、ネットワークは、ハンドオーバなどを介してＵＥに最適の移動性を提供する。このような目的の測定を無線リソース管理測定（ｒａｄｉｏ  ｒｅｓｏｕｒｃｅ  ｍａｎａｇｅｍｅｎｔ：ＲＲＭ）という。
【００４２】
一方、ＵＥ１００は、ＣＲＳに基づいてプライマリセル（Ｐｃｅｌｌ）のダウンリンク品質をモニタリングする。これをＲＬＭ（Ｒａｄｉｏ  Ｌｉｎｋ  Ｍｏｎｉｔｏｒｉｎｇ）という。
【００４３】
図３は、セル検出及び測定手順を示す。
【００４４】
図３を参照して分かるように、ＵＥは、隣接セルから送信される同期信号（Ｓｙｎｃｈｒｏｎｉｚａｔｉｏｎ  Ｓｉｇｎａｌ：ＳＳ）に基づいて隣接セルを検出する。前記ＳＳは、ＰＳＳ（Ｐｒｉｍａｒｙ  Ｓｙｎｃｈｒｏｎｉｚａｔｉｏｎ  Ｓｉｇｎａｌ）とＳＳＳ（Ｓｅｃｏｎｄａｒｙ  Ｓｙｎｃｈｒｏｎｉｚａｔｉｏｎ  Ｓｉｇｎａｌ）を含むことができる。
【００４５】
そして、ＵＥ１００に前記サービングセル２００ａ及び隣接セル２００ｂがそれぞれＣＲＳ（Ｃｅｌｌ−ｓｐｅｃｉｆｉｃ  Ｒｅｆｅｒｅｎｃｅ  Ｓｉｇｎａｌ）を送信すると、前記ＵＥ１００は、前記ＣＲＳを介して、測定を実行し、その測定結果をサービングセル２００ａに送信する。このとき、ＵＥ１００は、受信された基準信号電力（ｒｅｆｅｒｅｎｃｅ  ｓｉｇｎａｌ  ｐｏｗｅｒ）に対する情報に基づいて、前記受信されるＣＲＳのパワーを比較する。
【００４６】
このとき、ＵＥ１００は、下記の三つの方法により測定を実行することができる。
【００４７】
１）ＲＳＲＰ（ｒｅｆｅｒｅｎｃｅ  ｓｉｇｎａｌ  ｒｅｃｅｉｖｅｄ  ｐｏｗｅｒ）：全帯域にわたって送信されるＣＲＳを運搬する全てのＲＥの平均受信電力を示す。このとき、ＣＲＳの代わりにＣＳＩ（Ｃｈａｎｎｅｌ  Ｓｔａｔｅ  Ｉｎｆｏｒｍａｔｉｏｎ）−ＲＳ（Ｒｅｆｅｒｅｎｃｅ  Ｓｉｇｎａｌ）を運搬する全てのＲＥの平均受信電力を測定することもできる。
【００４８】
２）ＲＳＳＩ（ｒｅｃｅｉｖｅｄ  ｓｉｇｎａｌ  ｓｔｒｅｎｇｔｈ  ｉｎｄｉｃａｔｏｒ）：全体帯域で測定された受信電力を示す。ＲＳＳＩは、信号、干渉（ｉｎｔｅｒｆｅｒｅｎｃｅ）、熱雑音（ｔｈｅｒｍａｌｎｏｉｓｅ）を全て含む。
【００４９】
３）ＲＳＲＱ（ｒｅｆｅｒｅｎｃｅ  ｓｙｍｂｏｌ  ｒｅｃｅｉｖｅｄ  ｑｕａｌｉｔｙ）：ＣＱＩを示し、測定帯域幅（ｂａｎｄｗｉｄｔｈ）またはサブバンドによるＲＳＲＰ／ＲＳＳＩに決定されることができる。即ち、ＲＳＲＱは、信号対雑音干渉比（ＳＩＮＲ；ｓｉｇｎａｌ−ｔｏ−ｎｏｉｓｅ  ｉｎｔｅｒｆｅｒｅｎｃｅ  ｒａｔｉｏ）を意味する。ＲＳＲＰは、十分な移動性（ｍｏｂｉｌｉｔｙ）情報を提供することができないため、ハンドオーバまたはセル再選択（ｃｅｌｌ  ｒｅｓｅｌｅｃｔｉｏｎ）過程ではＲＳＲＰの代わりにＲＳＲＱが使われることができる。
【００５０】
ＲＳＲＱ＝ＲＳＳＩ／ＲＳＳＰに算出されることができる。
【００５１】
一方、図示されたように、ＵＥ１００は、前記測定のために前記サービングセル１００ａから無線リソース設定（Ｒａｄｉｏ  Ｒｅｓｏｕｒｃｅ  Ｃｏｎｆｉｇｕｒａｔｉｏｎ）情報エレメント（ＩＥ：Ｉｎｆｏｒｍａｔｉｏｎ  Ｅｌｅｍｅｎｔ）を受信する。前記無線リソース設定（Ｒａｄｉｏ  Ｒｅｓｏｕｒｃｅ  Ｃｏｎｆｉｇｕｒａｔｉｏｎ  Ｄｅｄｉｃａｔｅｄ）情報エレメント（ＩＥ：Ｉｎｆｏｒｍａｔｉｏｎ  Ｅｌｅｍｅｎｔ）は、無線ベアラ（Ｒａｄｉｏ  Ｂｅａｒｅｒ）を設定／修正／解除し、またはＭＡＣ構成を修正する等のために使われる。前記無線リソース設定ＩＥは、サブフレームパターン情報を含む。前記サブフレームパターン情報は、サービングセル（例えば、プライマリセル）に対するＲＳＲＰ、ＲＳＲＱの測定に対する時間ドメイン上の測定リソース制限パターンに対する情報である。
【００５２】
一方、ＵＥ１００は、前記測定のために前記サービングセル１００ａから測定設定（ｍｅａｓｕｒｅｍｅｎｔ  ｃｏｎｆｉｇｕｒａｔｉｏｎ；以下‘ｍｅａｓｃｏｎｆｉｇ’ともいう）情報エレメント（ＩＥ）を受信する。測定設定情報エレメント（ＩＥ）を含むメッセージを測定設定メッセージという。ここで、前記測定設定情報エレメント（ＩＥ）は、ＲＲＣ接続再設定メッセージを介して受信されることもできる。ＵＥは、測定結果が測定設定情報内の報告条件を満たす場合、測定結果を基地局に報告する。測定結果を含むメッセージを測定報告メッセージという。
【００５３】
前記測定設定ＩＥは、測定オブジェクト（Ｍｅａｓｕｒｅｍｅｎｔ  ｏｂｊｅｃｔ）情報を含むことができる。前記測定オブジェクト情報は、ＵＥが測定を実行するオブジェクトに対する情報である。測定オブジェクトは、セル内測定の対象であるｉｎｔｒａ−ｆｒｅｑｕｅｎｃｙ測定対象、セル間測定の対象であるｉｎｔｅｒ−ｆｒｅｑｕｅｎｃｙ測定対象、及びｉｎｔｅｒ−ＲＡＴ測定の対象であるｉｎｔｅｒ−ＲＡＴ測定対象のうち、少なくともいずれか一つを含む。例えば、ｉｎｔｒａ−ｆｒｅｑｕｅｎｃｙ測定対象は、サービングセルと同じ周波数バンドを有する周辺セルを指示し、ｉｎｔｅｒ−ｆｒｅｑｕｅｎｃｙ測定対象は、サービングセルと異なる周波数バンドを有する周辺セルを指示し、ｉｎｔｅｒ−ＲＡＴ測定対象は、サービングセルのＲＡＴと異なるＲＡＴの周辺セルを指示することができる。
【００５４】
【表１】
2020500453.tif 000003
【００５５】
一方、前記測定設定ＩＥは、下記の表のようなＩＥ（情報エレメント）を含む。
【００５６】
【表２】
2020500453.tif 000004
【００５７】
前記ｍｅａｓＧａｐＣｏｎｆｉｇは、測定ギャップ（ｍｅａｓｕｒｅｍｅｎｔ  ｇａｐ：ＭＧ）を設定したり解除したりするときに使われる。前記測定ギャップ（ＭＧ）は、サービングセルと異なる周波数（ｉｎｔｅｒ  ｆｒｅｑｕｅｎｃｙ）上のセル識別（ｃｅｌｌ  ｉｄｅｎｔｉｆｉｃａｔｉｏｎ）及びＲＳＲＰ測定を実行するための区間である。
【００５８】
【表３】
2020500453.tif 000005
【００５９】
【表４】
2020500453.tif 000006
【００６０】
もし、ＵＥがインター周波数及びインターＲＡＴのセルを識別して測定をするために測定ギャップを要求する場合、Ｅ−ＵＴＲＡＮ（即ち、基地局）は、一定のギャップ区間を有する一つの測定ギャップ（ＭＧ）パターンを提供する。前記ＵＥは、前記測定ギャップ区間の間にサービングセルからどのようなデータも送受信せずに、自分のＲＦチェインをインター周波数に合わせて再調整（ｒｅｔｕｎｉｎｇ）した後、該当インター周波数で測定を実行する。
【００６１】
＜キャリアアグリゲーション＞
【００６２】
以下、キャリアアグリゲーション（ｃａｒｒｉｅｒ  ａｇｇｒｅｇａｔｉｏｎ：ＣＡ）システムに対して説明する。
【００６３】
キャリアアグリゲーションシステムは、多数のコンポーネントキャリア（ｃｏｍｐｏｎｅｎｔ  ｃａｒｒｉｅｒ：ＣＣ）をアグリゲーションすることを意味する。このようなキャリアアグリゲーションにより、既存のセルの意味が変更された。キャリアアグリゲーションによると、セルとは、ダウンリンクコンポーネントキャリアとアップリンクコンポーネントキャリアとの組み合わせ、または単独のダウンリンクコンポーネントキャリアを意味する。
【００６４】
また、キャリアアグリゲーションにおいて、セルは、プライマリセル（ｐｒｉｍａｒｙ  ｃｅｌｌ）、セカンダリセル（ｓｅｃｏｎｄａｒｙ  ｃｅｌｌ）、サービングセル（ｓｅｒｖｉｎｇ  ｃｅｌｌ）に区分されることができる。プライマリセルは、プライマリ周波数で動作するセルを意味し、ＵＥが基地局との初期接続確立過程（ｉｎｉｔｉａｌ  ｃｏｎｎｅｃｔｉｏｎ  ｅｓｔａｂｌｉｓｈｍｅｎｔ  ｐｒｏｃｅｄｕｒｅ）または接続再確立過程を実行するセル、またはハンドオーバ過程でプライマリセルに指示されたセルを意味する。セカンダリセルは、セカンダリ周波数で動作するセルを意味し、ＲＲＣ接続が確立されると設定され、追加的な無線リソースの提供に使われる。
【００６５】
前述したように、キャリアアグリゲーションシステムでは単一搬送波システムと違って複数のコンポーネントキャリア（ＣＣ）、即ち、複数のサービングセルをサポートすることができる。
【００６６】
このようなキャリアアグリゲーションシステムは、交差搬送波スケジューリングをサポートすることができる。交差搬送波スケジューリング（ｃｒｏｓｓ−ｃａｒｒｉｅｒ  ｓｃｈｅｄｕｌｉｎｇ、クロスキャリアスケジューリング）は、特定コンポーネントキャリアを介して送信されるＰＤＣＣＨを介して他のコンポーネントキャリアを介して送信されるＰＤＳＣＨのリソース割当及び／または前記特定コンポーネントキャリアと基本的にリンクされているコンポーネントキャリア以外の他のコンポーネントキャリアを介して送信されるＰＵＳＣＨのリソース割当をすることができるスケジューリング方法である。
【００６７】
＜ＩｏＴ（Ｉｎｔｅｒｎｅｔ  ｏｆ  Ｔｈｉｎｇｓ）通信＞
【００６８】
一方、以下でＩｏＴに対して説明する。
【００６９】
ＩｏＴは、人間相互作用（ｈｕｍａｎ  ｉｎｔｅｒａｃｔｉｏｎ）を伴わないＩｏＴ機器間に基地局を介した情報交換またはＩｏＴ機器とサーバとの間に基地局を介した情報交換を意味する。このようにＩｏＴ通信がセルラー基地局を介するという点で、ＣＩｏＴ（Ｃｅｌｌｕｌａｒ  Ｉｎｔｅｒｎｅｔ  ｏｆ  Ｔｈｉｎｇｓ）とも呼ばれる。
【００７０】
このようなＩｏＴ通信は、ＭＴＣ（Ｍａｃｈｉｎｅ  Ｔｙｐｅ  ｃｏｍｍｕｎｉｃａｔｉｏｎ）の一種である。したがって、ＩｏＴ機器は、ＭＴＣ機器とも呼ばれる。
【００７１】
ＩｏＴ通信は、送信データ量が少なく、アップリンクまたはダウンリンクデータ送受信がまれに発生する特徴を有するため、低いデータ送信率に合わせてＩｏＴ機器の単価を低くしてバッテリ消費量を減らすのが好ましい。また、ＩｏＴ機器は、移動性が少ない特徴を有するため、チャネル環境がほとんど変わらない特性を有している。
【００７２】
ＩｏＴ機器の原価節減（ｌｏｗ−ｃｏｓｔ）のための一つの方策として、セルのシステム帯域幅にかかわらず、前記ＩｏＴ機器は、例えば、１．４ＭＨｚ程度の副帯域を使用することができる。
【００７３】
このように縮小された帯域幅上で動作するＩｏＴ通信をＮＢ（Ｎａｒｒｏｗ  Ｂａｎｄ）ＩｏＴ通信またはＮＢ  ＣＩｏＴ通信という。
【００７４】
＜次世代移動通信ネットワーク＞
【００７５】
第４世代移動通信のためのＬＴＥ（ｌｏｎｇ  ｔｅｒｍ  ｅｖｏｌｕｔｉｏｎ）／ＬＴＥ−Ａｄｖａｎｃｅｄ（ＬＴＥ−Ａ）の成功によって、次世代、即ち、第５世代（いわゆる５Ｇ）移動通信に対する関心も高まっており、研究も続々進行している。
【００７６】
国際電気通信連合（ＩＴＵ）が定義する第５世代移動通信は、最大２０Ｇｂｐｓのデータ送信速度とどこでも最小１００Ｍｂｐｓ以上の体感の送信速度を提供することを意味する。正式名称は‘ＩＭＴ−２０２０’であり、世界的に２０２０年に商用化することを目標としている。
【００７７】
ＩＴＵでは３代使用シナリオ、例えば、ｅＭＢＢ（ｅｎｈａｎｃｅｄ  Ｍｏｂｉｌｅ  ＢｒｏａｄＢａｎｄ）ｍＭＴＣ（ｍａｓｓｉｖｅ  Ｍａｃｈｉｎｅ  Ｔｙｐｅ  Ｃｏｍｍｕｎｉｃａｔｉｏｎ）及びＵＲＬＬＣ（Ｕｌｔｒａ  Ｒｅｌｉａｂｌｅ  ａｎｄ  Ｌｏｗ  Ｌａｔｅｎｃｙ  Ｃｏｍｍｕｎｉｃａｔｉｏｎｓ）を提示している。
【００７８】
ＵＲＬＬＣは、高い信頼性と短い遅延時間を要求する使用シナリオに関する。例えば、自動走行、工場自動化、拡張現実のようなサービスは、高い信頼性と短い遅延時間（例えば、１ｍｓ以下の遅延時間）を要求する。現在４Ｇ（ＬＴＥ）の遅延時間は、統計的に２１−４３ｍｓ（ｂｅｓｔ１０％）、３３−７５ｍｓ（ｍｅｄｉａｎ）である。これは１ｍｓ以下の遅延時間を要求するサービスをサポートするに足りない。次に、ｅＭＢＢ使用シナリオは、移動超広帯域を要求する使用シナリオに関する。
【００７９】
即ち、第５世代移動通信システムは、現在の４Ｇ  ＬＴＥより高い容量を目標とし、モバイル広帯域ユーザの密度を高め、Ｄ２Ｄ（Ｄｅｖｉｃｅ  ｔｏ  Ｄｅｖｉｃｅ）、高い安定性及びＭＴＣ（Ｍａｃｈｉｎｅ  ｔｙｐｅ  ｃｏｍｍｕｎｉｃａｔｉｏｎ）をサポートすることができる。また、５Ｇ研究開発は、モノのインターネットをよく実装するために、４Ｇ移動通信システムより短い待機時間と少ないバッテリ消費を目標とする。このような５Ｇ移動通信のために、新しい無線アクセス技術（ｎｅｗ  ｒａｄｉｏ  ａｃｃｅｓｓ  ｔｅｃｈｎｏｌｏｇｙ：Ｎｅｗ  ＲＡＴまたはＮＲ）が提示されることができる。
【００８０】
前記ＮＲで、基地局からの受信は、ダウンリンクサブフレームを利用し、基地局への送信は、アップリンクサブフレームを利用することが考慮されることができる。この方式は、対になるスペクトラム及び対になっていないスペクトラムに適用されることができる。一対のスペクトラムは、ダウンリンク及びアップリンク動作のために二つの搬送波スペクトラムが含まれるということを意味する。例えば、一対スペクトラムで、一つの搬送波は、対になるダウンリンク帯域及びアップリンク帯域を含むことができる。
【００８１】
図４は、ＮＲでのサブフレーム類型の例を示す。
【００８２】
図４に示すＴＴＩ（ｔｒａｎｓｍｉｓｓｉｏｎ  ｔｉｍｅ  ｉｎｔｅｒｖａｌ）は、ＮＲ（または、ｎｅｗ  ＲＡＴ）のためのサブフレームまたはスロットとも呼ばれる。図４のサブフレーム（または、スロット）は、データ送信遅延を最小化するためにＮＲ（または、ｎｅｗ  ＲＡＴ）のＴＤＤシステムで使われることができる。図４に示すように、サブフレーム（または、スロット）は、現在のサブフレームと同様に、１４個のシンボルを含む。サブフレーム（または、スロット）の前方部のシンボルは、ＤＬ制御チャネルのために使われることができ、サブフレーム（または、スロット）の後方部のシンボルは、ＵＬ制御チャネルのために使われることができる。残りのシンボルは、ＤＬデータ送信またはＵＬデータ送信のために使われることができる。このようなサブフレーム（または、スロット）構造によると、ダウンリンク送信とアップリンク送信は、一つのサブフレーム（または、スロット）で順次に進行されることができる。したがって、サブフレーム（または、スロット）内でダウンリンクデータが受信されることができ、そのサブフレーム（または、スロット）内でアップリンク確認応答（ＡＣＫ／ＮＡＣＫ）が送信されることもできる。このようなサブフレーム（または、スロット）の構造をセルフコンテインド（ｓｅｌｆ−ｃｏｎｔａｉｎｅｄ）サブフレーム（または、スロット）ということができる。このようなサブフレーム（または、スロット）の構造を使用すると、受信エラーのデータを再送信する時にかかる時間が減って最終データ送信待機時間が最小化されることができるという長所がある。このようなセルフコンテインド（ｓｅｌｆ−ｃｏｎｔａｉｎｅｄ）サブフレーム（または、スロット）構造で、送信モードから受信モードへまたは受信モードから送信モードへの転換過程に時間ギャップ（ｔｉｍｅ  ｇａｐ）が必要である。そのために、サブフレーム構造でＤＬからＵＬへ転換する時の一部ＯＦＤＭシンボルは、保護区間（Ｇｕａｒｄ  Ｐｅｒｉｏｄ：ＧＰ）に設定されることができる。
【００８３】
＜多様なヌメロロジー（ｎｕｍｅｒｏｌｏｇｙ）のサポート＞
【００８４】
次期システムでは無線通信技術の発達によって、端末に多数のヌメロロジー（ｎｕｍｅｒｏｌｏｇｙ）が提供されることもできる。
【００８５】
前記ヌメロロジーは、ＣＰ（ｃｙｃｌｅ  ｐｒｅｆｉｘ）の長さと副搬送波間隔（Ｓｕｂｃａｒｒｉｅｒ  Ｓｐａｃｉｎｇ）により定義されることができる。一つのセルは、複数のヌメロロジーを端末に提供できる。ヌメロロジーのインデックスをμで表す時、各副搬送波間隔と該当するＣＰの長さは、下記の表の通りである。
【００８６】
【表５】
2020500453.tif 000007
【００８７】
一般ＣＰの場合、ヌメロロジーのインデックスをμで表す時、スロット当たりＯＦＤＭシンボル個数（Ｎｓｌｏｔｓｙｍｂ）、フレーム当たりスロット個数（Ｎｆｒａｍｅ、μｓｌｏｔ）そして、サブフレーム当たりスロット個数（Ｎｓｕｂｆｒａｍｅ、μｓｌｏｔ）は、下記の表の通りである。
【００８８】
一般ＣＰの場合、ヌメロロジーのインデックスをμで表す時、スロット当たりＯＦＤＭシンボル個数（Ｎｓｌｏｔｓｙｍｂ）、フレーム当たりスロット個数（Ｎｆｒａｍｅ、μｓｌｏｔ）そして、サブフレーム当たりスロット個数（Ｎｓｕｂｆｒａｍｅ、μｓｌｏｔ）は、下記の表の通りである。
【００８９】
【表６】
2020500453.tif 000008
【００９０】
拡張ＣＰの場合、ヌメロロジーのインデックスをμで表す時、スロット当たりＯＦＤＭシンボル個数（Ｎｓｌｏｔｓｙｍｂ）、フレーム当たりスロット個数（Ｎｆｒａｍｅ、μｓｌｏｔ）そして、サブフレーム当たりスロット個数（Ｎｓｕｂｆｒａｍｅ、μｓｌｏｔ）は、下記の表の通りである。
【００９１】
【表７】
2020500453.tif 000009
【００９２】
一方、次世代移動通信ではシンボル内で各シンボルは、下記の表のようにダウンリンクに使われ、またはアップリンクに使われることができる。下記の表において、アップリンクはＵで表記され、ダウンリンクはＤで表記された。下記の表において、Ｘは、アップリンクまたはダウンリンクに柔軟に使われることができるシンボルを示す。
【００９３】
【表８−１】
2020500453.tif 000010
【００９４】
【表８−２】
2020500453.tif 000011
【００９５】
＜ＮＲでの動作帯域＞
【００９６】
ＮＲでの動作帯域は、下記の通りである。
【００９７】
【表９】
2020500453.tif 000012
【００９８】
【表１０】
2020500453.tif 000013
【００９９】
一方、前記表の動作帯域が使われる時、チャネル帯域幅として下記の表のように使われる。
【０１００】
【表１１】
2020500453.tif 000014
【０１０１】
前記表において、ＳＣＳは、副搬送波間隔（ｓｕｂｃａｒｒｉｅｒ  ｓｐａｃｉｎｇ）を意味する。前記表において、ＮＲＢは、ＲＢの個数を示す。
【０１０２】
一方、前記表の動作帯域が使われる時、チャネル帯域幅として下記の表のように使われる。
【０１０３】
【表１２】
2020500453.tif 000015
【０１０４】
＜ＮＲでＳＳブロック＞
【０１０５】
５Ｇ  ＮＲでは端末が初期アクセスを実行するときに必要な情報、即ち、ＭＩＢ（Ｍａｓｔｅｒ  Ｉｎｆｏｒｍａｔｉｏｎ  Ｂｌｏｃｋ）を含むＰＢＣＨ（Ｐｈｙｓｉｃａｌ  Ｂｒｏａｄｃａｓｔ  Ｃｈａｎｎｅｌ）と同期信号（ＳＳ）（ＰＳＳ及びＳＳＳを含む）をＳＳブロックに定義する。そして、複数個のＳＳブロックを束ねてＳＳバーストと定義し、また、複数個数のＳＳバースト（ｂｕｒｓｔ）を束ねてＳＳバーストセットと定義することができる。各ＳＳブロックは、特定方向にビームフォーミングされていることを仮定しており、ＳＳバーストセット内にある多数のＳＳブロックは、各々、異なる方向に存在する端末をサポートするために設計されている。
【０１０６】
図５は、ＮＲでＳＳブロックの例を示す例示図である。
【０１０７】
図５を参照すると、ＳＳバーストは、あらかじめ決められた周期（ｐｅｒｉｏｄｉｃｉｔｙ）毎に送信される。したがって、端末は、ＳＳブロックを受信し、セル検出及び測定を実行する。
【０１０８】
一方、５Ｇ  ＮＲではＳＳに対してビームスイーピング（ｂｅａｍ  ｓｗｅｅｐｉｎｇ）が実行される。これに対して図６を参照して説明する。
【０１０９】
図６は、ＮＲでビームスイーピングの例を示す例示図である。
【０１１０】
基地局は、ＳＳバースト内の各ＳＳブロックを時間によってビームスイーピング（ｂｅａｍ  ｓｗｅｅｐｉｎｇ）をしながら送信するようになる。このとき、ＳＳバーストセット内にある多数のＳＳブロックは、各々、異なる方向に存在する端末をサポートするために送信される。図６では、ＳＳバーストセットがＳＳブロック１〜６を含み、各ＳＳバーストが２個のＳＳブロックを含む。
【０１１１】
＜本明細書の開示＞
【０１１２】
Ｉ．第１の開示
【０１１３】
本節では、チャネルラスタ（ｃｈａｎｎｅｌ  Ｒａｓｔｅｒ）及びシンクラスタ（Ｓｙｎｃ  Ｒａｓｔｅｒ）に対して説明する。
【０１１４】
周波数チャネルラスタは、ＲＦ基準周波数（ＦＲＥＦ）のセットに定義される。ＲＦ基準周波数は、ＲＦチャネル、ＳＳブロックなどの位置を示すための信号として使われることができる。
【０１１５】
グローバル周波数ラスタは、０から１００ＧＨｚまでの全ての周波数に対して定義される。グローバル周波数ラスタの単位は、ΔＦＧｌｏｂａｌで表す。
【０１１６】
ＲＦ基準周波数は、グローバル周波数ラスタの範囲（０..３２７９１６５）にあるＮＲ絶対無線周波数チャネル番号（Ａｂｓｏｌｕｔｅ  Ｒａｄｉｏ  Ｆｒｅｑｕｅｎｃｙ  Ｃｈａｎｎｅｌ  Ｎｕｍｂｅｒ：ＮＲ−ＡＲＦＣＮ）により指定される。ＮＲ−ＡＲＦＣＮとＭＨｚのＲＦ基準周波数（ＦＲＥＦ）との間の関係は、下記の数式で表すことができる。ここで、ＦＲＥＦ−ＯｆｆｓとＮＲｅｆ−Ｏｆｆｓは、下記の表の通りである。
【０１１７】
［数式１］
ＦＲＥＦ＝ＦＲＥＦ−Ｏｆｆｓ＋ΔＦＧｌｏｂａｌ（ＮＲＥＦ−ＮＲＥＦ−Ｏｆｆｓ）
【０１１８】
【表１３】
2020500453.tif 000016
【０１１９】
チャネルラスタは、アップリンク及びダウンリンクでＲＦチャネル位置の識別に使われることができるＲＦ基準周波数のサブセットを示す。ＲＦチャネルに対するＲＦ基準周波数は、搬送波上のリソース要素にマッピングされることができる。
【０１２０】
チャネルラスタのＲＦ基準周波数と該当リソース要素との間のマッピングは、ＲＦチャネル位置の識別に使用することができる。マッピングは、チャネルに割り当てられた総ＲＢ数によって異なり、ＵＬ及びＤＬに全て適用される。
【０１２１】
ＮＲＢ ｍｏｄ  ２＝０である場合、
【０１２２】
ＲＥインデックスｋは０であり、
【０１２３】
ＰＲＢ個数は、下記の通りである。
【０１２４】
2020500453.tif 000017
【０１２５】
ＮＲＢ ｍｏｄ  ２＝１である場合、
【０１２６】
ＲＥインデックスｋは６であり、
【０１２７】
ＰＲＢ個数は、下記の通りである。
【０１２８】
2020500453.tif 000018
【０１２９】
各ＮＲ動作帯域上でチャネルラスタのＲＦチャネル位置は、下記の表のように示すことができる。
【０１３０】
【表１４】
2020500453.tif 000019
【０１３１】
【表１５】
2020500453.tif 000020
【０１３２】
他方、シンクラスタは、ＵＥがシステム情報を取得するときに使われるＳＳブロックの周波数位置を示す。ＳＳブロックの周波数位置は、対応するＧＳＣＮ番号を使用してＳＳＲＥＦに定義されることができる。
【０１３３】
Ｉ−１．チャネルラスタ（ｃｈａｎｎｅｌ  Ｒａｓｔｅｒ）及びシンクラスタ（Ｓｙｎｃ  Ｒａｓｔｅｒ）の関係
【０１３４】
本節では流動的な（ｆｌｏａｔｉｎｇ）同期の概念を考慮したシンクラスタに対して説明する。
【０１３５】
既存のＬＴＥ／ＬＴＥ−Ａでは同期信号がチャネル帯域幅（Ｃｈａｎｎｅｌ  Ｂａｎｄｗｉｄｔｈ：ＣＢＷ）の中心に位置したため、シンクラスタとチャネルラスタが同一に扱われた。
【０１３６】
しかし、ＮＲではＳＳブロックがチャネル帯域幅（ＣＢＷ）の中央に位置しない。また、ＮＲでは広帯域動作を考慮してＦＤＭ方式に多重ＳＳブロックを配置することができる。ＮＲ  ＵＥがＳＳブロックを検出すると、ＮＲ  ＵＥは、ネットワークからのシグナリング情報を受信することができる。即ち、チャネルラスタは、主に事業者のスペクトラム保有と関連しているし、それに対し、シンクラスタは、ＵＥの実装の観点でもっと重要である。シンクラスタを考慮する時、ＳＳブロックは、最小限副搬送波単位でデータの中心周波数と整列されなければならない。そうでない場合、データとＳＳブロックとの間のチャネル間干渉（ＩＣＩ）が発生できる。
【０１３７】
結果的に、データ信号と及びＳＳブロックは、少なくとも副搬送波単位で整列される必要がある。
【０１３８】
［数式２］
ＲＳＳ＝ｆｌｏｏｒ（（ＣＢＷｅｆｆ−ｍｉｎ−ＢＷＳＳ＋１ＲＢ）／ＲＣＨ）＊ＲＣＨ
【０１３９】
ここで、ＲＳＳは、シンクラスタである。
【０１４０】
ＣＢＷｅｆｆ−ｍｉｎは、搬送波の活用（ｅｆｆｅｃｔｉｖｅ）可能な最小帯域幅を意味する。
【０１４１】
ＢＷＳＳは、ＳＳブロックの帯域幅を意味する。
【０１４２】
ＲＣＨは、チャネルラスタを意味する。
【０１４３】
基本的に、前記数式は、シンクラスタがチャネルラスタの倍数であることを意味し、
【０１４４】
同期化ラスタの１番目の入力に対して、下記数式は、各周波数帯域に対する最小ＣＢＷがチャネルラスタよりはるかに大きいため、考慮することができる。
【０１４５】
［数式３］
ＦＳＳ０＝ＦＤＬ＿ｌｏｗ＋ｆｌｏｏｒ（（０．５＊（ＣＢＷｍｉｎ＋ＣＢＷｅｆｆ−ｍｉｎ）−ＢＷＳＳ）／ＲＣＨ）＊ＲＣＨ
【０１４６】
前記数式において、ＦＤＬ＿ＬＯＷは、各周波数帯域の開始周波数を意味する。
【０１４７】
一方、各周波数帯域に対する実際シンクラスタエントリは、下記のように決定されることができる。
【０１４８】
［数式４］
ＦＳＳ＝ＦＳＳ０＋ｎ＊ＲＳＳ
【０１４９】
前記数式２及び数式３において、シンクラスタの例示を示すと、下記の表の通りである。
【０１５０】
【表１６】
2020500453.tif 000021
【０１５１】
これに基づいて下記のようなオプションが提案される。オプション１．シンクラスタは、１００ｋＨｚ単位で設定されることができる。
【０１５２】
オプション２．シンクラスタは、副搬送波間隔の倍数に設定されることができる。
【０１５３】
一方、１００ｋＨｚのチャネルラスタが副搬送波間隔（ＳＣＳ）（例えば、１５／３０／６０ｋＨｚ）の倍数でないため、データとＳＳとの間の直交性を維持させるためには、他の代替案が必要である。１００ｋＨｚと１５ｋＨｚの最小公倍数（ＬＣＭ）は、３００ｋＨｚであるため、３倍の同期エントリが使われなければならない。これは同じ周波数帯域内で１／３ＳＣＳにシフトされた３個のシンクラスタエントリが重なっていることを意味する。１００ｋＨｚラスタ基盤のシンクラスタの場合、数式１に基づいてこれを評価することができ、評価された値は、５ＭＨｚ  ＣＢＷ及び１５ｋＨｚ  ＳＣＳを考慮して下記の表に示されている。評価結果から効果的なシンクラスタは、３回の重複を考慮する時、依然として１００ｋＨｚであるため、流動（ｆｌｏａｔｉｎｇ）同期の長所はないと判断される。シンクラスタエントリ以外に、流動（ｆｌｏａｔｉｎｇ）同期のためにはＰＲＢが１個より必要である。ＬＴＥからリファーミングされた帯域では、事業者が保有したスペクトラム及び周波数帯域が、新しいＮＲ専用帯域に比べて相対的に狭いことが予想される。したがって、広帯域運用が最優先でないと判断される。これに基づいて、１００ｋＨｚチャネルラスタを使用する場合、ＬＴＥからリファーミングされた帯域ではオプション１を使用することが効果的である。
【０１５４】
したがって、１００ｋＨｚチャネルラスタを使用し、ＬＴＥからリファーミングされた帯域の場合、下記のように提案される。
【０１５５】
提案：流動（ｆｌｏａｔｉｎｇ）同期を使用せずに、１００ｋＨｚのシンクラスタを使用
【０１５６】
他方、ＳＳブロックの副搬送波間隔に対して以下のように記述する。
【０１５７】
ＰＳＳ／ＳＳＳに対する副搬送波間隔は、下記のような周波数範囲に対して、区別して定義されることができる。
【０１５８】
１）６ＧＨｚ以下の場合、１５ｋＨｚ／３０ｋＨｚ
【０１５９】
２）６ＧＨｚ以上の場合、１２０ｋＨｚ／２４０ｋＨｚ
【０１６０】
ＳＳに対する副搬送波間隔（ＳＣＳＳＳ）に対する情報は、ＮＳＡ（ｎｏｎ−ｓｔａｎｄ  ａｌｏｎｅ）ＵＥにシグナリングされることができるため、特別に問題にならない。
【０１６１】
しかし、ＳＡ（ｓｔａｎｄ−ａｌｏｎｅ）ＵＥが初期セル検出をする時に問題が発生できる。
【０１６２】
多重ＳＣＳＳＳを使用することは、ＳＳブロックに対する多くの仮定を要求し、複雑性、ＵＥの電力消費及び初期セル検出時間に影響を与えることができる。
【０１６３】
下記の表９及び表１０では、６ＧＨｚ以下の帯域と、ｍｍＷａｖｅに対して示した。表９及び表１０において、６ＧＨｚ以下の帯域で、ＳＳブロックに対して単一の副搬送波間隔が使われることができる。また、ｍｍＷａｖｅ帯域の場合、現在存在する全ての周波数帯域には多重ＳＣＳＳＳが使われることができる。
【０１６４】
【表１７】
2020500453.tif 000022
【０１６５】
【表１８】
2020500453.tif 000023
【０１６６】
前述した内容に基づいて、下記のオプションを考慮することができる。オプション１）ＳＳブロック再設計、特に、ＰＢＣＨでＳＳブロックの帯域幅を狭めることを考慮することができる。
【０１６７】
オプション２）同じ周波数範囲に対してＳＣＳＳＳ毎に異なる帯域番号を指定することを考慮することができる。
【０１６８】
オプション３）バンド別に単一の基本ＳＣＳＳＳを指定することを考慮することができる。
【０１６９】
オプション４）一部周波数帯域に対して多重ＳＳ  ＳＣＳを許容することを考慮することができる。
【０１７０】
前記オプション１の場合、ＳＳブロックでＰＢＣＨ設計の目標性能低下によって、ＮＲセル範囲に影響を及ぼすことができる。
【０１７１】
オプション２の場合、帯域定義を再びすることは非効率的である。
【０１７２】
オプション３の場合、事業者が保有したスペクトラムによって矛盾が発生できる。
【０１７３】
オプション４の場合、ＵＥが初期セル検出を順次に実行できると仮定できる場合、ＵＥ複雑度は重要でない。オプション４によると、一部ＳＡ（ｓｔａｎｄ  ａｌｏｎｅ）ＵＥの初期セル探知時間にのみ影響を及ぼし、改善された初期セル探知手順を実行することができる高性能ＵＥは影響を受けない。
【０１７４】
したがって、下記のように提案されることができる。
【０１７５】
提案１．ＳＳに対する基本ＳＣＳを１番目の優先順位に帯域別方式に指定することを考慮することができる。
【０１７６】
提案２．多数のＳＣＳＳＳが許容される場合、初期セル検出は、順次に実行されると仮定することができる。
【０１７７】
II．第２の開示
【０１７８】
本節ではＮＲ  ＵＥの初期セル検出動作に対して説明する。特に、１００ｋＨｚチャネルラスタを使用し、ＬＴＥからリファーミングされた帯域上でのＮＲ  ＵＥの動作に対して説明する。
【０１７９】
多重基本ＳＣＳＳＳに対して下記のように考慮されることができる。
【０１８０】
特定周波数範囲に対して多重ＳＣＳを下記のように提案する。
【０１８１】
Ａｌｔ１：ＰＢＣＨ帯域幅を１２個ＰＲＢに減らすことによって、ＳＳブロックを再び設計できる。
【０１８２】
Ａｌｔ２：ＳＳ／ＰＢＣＨに対して２個までのＳＣＳ値を選択することができ、制限されたセットの各帯域に対してＵＥ最小帯域幅を選択することができる
【０１８３】
前記Ａｌｔ１の場合、ＰＢＣＨデコーディング性能に影響を及ぼすことができると、結果的にＮＲセル範囲を狭めることができる。
【０１８４】
前記Ａｌｔ２の場合、複数の基本ＳＣＳＳＳを使用する場合、ＳＡ（Ｓｔａｎｄ  ａｌｏｎｅ）ＵＥに対する初期セル検出に影響を与えることができる。ＮＳＡ（Ｎｏｎ−Ｓｔａｎｄ  Ａｌｏｎｅ）ＵＥは、ＳＣＳＳＳに対する情報をＬＴＥ  ＲＡＴを介して受信することができる。しかし、ＳＡ  ＵＥの場合、単一の基本ＳＣＳＳＳが使われても、一部周波数帯域で潜在的なＵＥの実装問題が発生できる。また、ＳＣＳＳＳが複数個指定されると、ＵＥは、多様な組み合わせによって検索を実行しなければならないため、ＵＥの実装複雑性及び電力消費が増加でき、初期セル検知時間にも影響を受けることができる。
【０１８５】
結果１）単一の基本ＳＣＳＳＳを使用することが、ＵＥの実装／電力消費及び初期セル検出時間の観点で効果的である。
【０１８６】
したがって、多重の基本ＳＣＳＳＳを使用することが許容される。
【０１８７】
提案１）ＵＥは、初期セル検出を順次に実行することができる。
【０１８８】
提案２）初期セル検出に対する要求事項をＬＴＥと同一に指定しない。
【０１８９】
以上の方法により、ＵＥは、ハードウェアの改善無しで多重ＳＣＳＳＳが定義された帯域でも初期セル検出を実行することができ、短所である所要時間は、別途の設定またはシグナルを介して克服できる。
【０１９０】
II−１．シンクラスタ
【０１９１】
既存ＬＴＥ／ＬＴＥ−Ａでは同期信号がチャネル帯域幅（Ｃｈａｎｎｅｌ  Ｂａｎｄｗｉｄｔｈ：ＣＢＷ）の中心に位置したため、シンクラスタとチャネルラスタが同一に扱われた。
【０１９２】
しかし、ＮＲではＳＳブロックがチャネル帯域幅（ＣＢＷ）の中央に位置しない。また、ＮＲでは広帯域動作を考慮してＦＤＭ方式に多重ＳＳブロックを配置することができる。ＮＲ  ＵＥがＳＳブロックを検出すると、ＮＲ  ＵＥは、ネットワークからのシグナリング情報を受信することができる。即ち、チャネルラスタは、主に事業者のスペクトラム保有と関連しているし、それに対し、シンクラスタは、ＵＥの実装の観点でもっと重要である。シンクラスタの定義のために、ＵＥは、初期セル検出時間の間にＲＦ部内のミキサ（Ｍｉｘｅｒ）の周波数をＳＳブロック中心に調整しなければならないため、シンクラスタは、ミキサの実際の周波数位置を示さなければならない。したがって、下記のように提案されることができる。
【０１９３】
提案）シンクラスタは、ＳＳブロックの中心に位置すべきである。
【０１９４】
シンクラスタを考慮する時、初期セル検出のために下記の二つが考慮されなければならない。
【０１９５】
−ＳＳブロックの副搬送波は、ＩＣＩを避けるためにデータ信号の副搬送波と整列されなければならない。
【０１９６】
−少なくとも一つのＳＳブロックは、最小ＣＢＷで作動するＵＥのＣＢＷ内に位置しなければならない。
【０１９７】
これに基づいて、初期セル検出のための実際シンクラスタは、下記のように数式化されることができる。
【０１９８】
［数式５］
ＲＳＳ＝ｆｌｏｏｒ（（ＣＢＷｅｆｆ−ｍｉｎ−ＢＷＳＳ＋ＲＣＨ）／ＲＣＨ）＊ＲＣＨ
【０１９９】
ここで、ＲＳＳは、シンクラスタである。
【０２００】
ＣＢＷｅｆｆ−ｍｉｎは、搬送波の活用（ｅｆｆｅｃｔｉｖｅ）可能な最小帯域幅を意味する。
【０２０１】
ＢＷＳＳは、ＳＳブロックの帯域幅を意味する。
【０２０２】
ＲＣＨは、チャネルラスタを意味する。
【０２０３】
前記数式１において、最小のＣＢＷ／ＳＣＳセットを考慮して、シンクラスタ値を例示的に示すと、以下の表の通りである。
【０２０４】
【表１９】
2020500453.tif 000024
【０２０５】
前記表において、シンクラスタに対して下記のように提案されることができる。提案：シンクラスタに対して前記表の値のうち一つを使用することができる。
【０２０６】
II−２．１００ｋＨｚチャネルラスタに対するシンクラスタ
【０２０７】
２．４ＧＨｚ以下の周波数帯域に対して、１００ｋＨｚチャネルラスタを使用することができる。１００ｋＨｚチャネルラスタは、倍数でないため、ＳＣＳが１５ｋＨｚである場合、流動的な（ｆｌｏａｔｉｎｇ）同期が使われると、データ副搬送波とＳＳブロック副搬送波との間の直交性を保証するために追加考慮すべき事項がある。
【０２０８】
１００ｋＨｚと１５ｋＨｚの最小公倍数である３００ｋＨｚを考慮する時、シンクラスタのために、最大三回まで同期化が実行されることができる。これは３個の互いに異なる同期信号を使用すべきであることを意味する。これは、ＵＥの実装に影響を与えることができる。その代替案として、３個の同期信号を使用しないためには、下記のオプションを考慮することができる。
【０２０９】
１００ｋＨｚチャネルラスタを使用し、ＬＴＥからリファーミングされた帯域を使用する場合、
【０２１０】
オプション）特定ＳＳブロックのみでＵＥがセルを探知することができる。
【０２１１】
前記オプションの場合、一般的に広帯域で動作するｇＮＢは、多重ＳＳブロックを送信することができる。しかし、シンクラスタが常に副搬送波境界と整列されないため、ｇＮＢからの特定ＳＳブロックは、初期セル検出時間の間にＵＥで検出されることができない。しかし、ＵＥに２次ＳＳＢ位置を知らせる方法がある場合、ＵＥは、初期セル検出後に２次ＢＷＰを活性化することができる。
【０２１２】
また、データとＳＳブロックとの間の直交性を維持しなければならない。チャネルラスタ自体は、他の隣接チャネルラスタとの直交性を保証しなくてもよい。したがって、シンクラスタが特定副搬送波を示すことができる場合、チャネルラスタが特定副搬送波を示すことができる。また、１００ｋＨｚチャネルラスタに対してシンクラスタを調整することができない場合、シンクラスタをチャネルセンターに配置しなければならない。このような意味で、シンクラスタは、チャネルラスタの倍数であるべきで、少なくとも１００ｋＨｚチャネルラスタを使用する周波数帯域に対してチャネルラスタにオーバーレイ（ｏｖｅｒｌａｙ）されなければならない。
【０２１３】
１００ｋＨｚチャネルラスタを使用する帯域の場合、下記のように提案されることができる。
【０２１４】
提案）チャネルラスタは、ＣＢＷの中央に位置しなければならない。
【０２１５】
提案）シンクラスタは、チャネルラスタにオーバーレイ（ｏｖｅｒｌａｙ）されなければならない。
【０２１６】
以上の方法により、ＵＥが初期セル検索を実行するシンクラスタを定義することができる。また、広帯域を使用する場合、ＵＥが提案された方法により特定ＳＳＢを利用してセルにアタッチ（ａｔｔａｃｈ）すると、セルは、別途のシグナリングを介して２番目のＢＷＰに対する設定情報をＵＥに伝達できるため、追加的にラスタを増加させなくてもよい。
【０２１７】
III．第３の開示
【０２１８】
５Ｇ  ＮＲネットワークのセル検索は、事前に定義されたシンクラスタで実行され、このようなシンクラスタの個数は、端末の所要時間と消費電力を考慮する時、各周波数帯域で最大限少ない個数を設定するのが好ましい。しかし、現在ＮＲ周波数帯域のうち、既存ＬＴＥからリファーミングされた帯域の場合、既存ＬＴＥシステムとの共存のためにＬＴＥと同一に１００ｋＨｚチャネルラスタを適用しなければならない。この場合、１００ｋＨｚチャネルラスタが１５ｋＨｚの副搬送波間隔の倍数でないため、データとシンク信号との間に直交性が維持されない。本節は、これを解決するための提案と関連した追加的なＵＥの動作を説明する。
【０２１９】
III−１．シンクラスタに対する基本原則
【０２２０】
既存ＬＴＥ／ＬＴＥ−Ａでは同期信号がチャネル帯域幅（Ｃｈａｎｎｅｌ  Ｂａｎｄｗｉｄｔｈ：ＣＢＷ）の中心に位置したため、シンクラスタとチャネルラスタが同一に扱われた。しかし、ＮＲではＳＳブロックがチャネル帯域幅（ＣＢＷ）の中央に位置しない。また、ＮＲでは広帯域動作を考慮してＦＤＭ方式に多重ＳＳブロックを配置することができる。ＮＲ  ＵＥがＳＳブロックを検出すると、ＮＲ  ＵＥは、ネットワークからのシグナリング情報を受信することができる。即ち、チャネルラスタは、主に事業者のスペクトラム保有と関連しているし、それに対し、シンクラスタは、ＵＥの実装の観点でもっと重要である。シンクラスタの定義のために、ＵＥは、初期セル検出時間の間にＲＦ部内のミキサ（Ｍｉｘｅｒ）の周波数をＳＳブロック中心に調整しなければならないため、シンクラスタは、ミキサの実際周波数位置を示さなければならない。したがって、下記のように提案されることができる。
【０２２１】
提案）シンクラスタは、ＳＳブロックの中心に位置すべきである。
【０２２２】
シンクラスタを考慮する時、初期セル検出のために下記の二つが考慮されなければならない。
【０２２３】
−ＳＳブロックの副搬送波は、ＩＣＩを避けるためにデータ信号の副搬送波と整列されなければならない。
【０２２４】
−少なくとも一つのＳＳブロックは、最小ＣＢＷで作動するＵＥのＣＢＷ内に位置しなければならない。
【０２２５】
これに基づいて、初期セル検出のための実際シンクラスタは、下記のように数式化されることができる。
【０２２６】
［数式６］
ＲＳＳ＝ｆｌｏｏｒ（（ＣＢＷｅｆｆ−ｍｉｎ−ＢＷＳＳ＋ＲＣＨ）／ＲＣＨ）＊ＲＣＨ
【０２２７】
ここで、ＲＳＳは、シンクラスタである。
【０２２８】
ＣＢＷｅｆｆ−ｍｉｎは、搬送波の活用（ｅｆｆｅｃｔｉｖｅ）可能な最小帯域幅を意味する。
【０２２９】
ＢＷＳＳは、ＳＳブロックの帯域幅を意味する。
【０２３０】
ＲＣＨは、チャネルラスタを意味する。
【０２３１】
III−２．ＬＴＥからリファーミングされた帯域に対するシンクラスタ
【０２３２】
２．４ＧＨｚ以下の周波数帯域の場合、１００ｋＨｚのチャネルラスタを使用することができる。１００ｋＨｚのチャネルラスタは、１５ｋＨｚのＳＣＳの倍数でないため、データ信号の副搬送波とＳＳブロック信号の副搬送波との間の直交性を維持するために、もっと多くの考慮が必要である。１００ｋＨｚチャネルラスタとの直交性を維持するために、下記のような二つの方法を考慮することができる。
【０２３３】
オプション１．３００ｋＨｚ有効チャネルラスタを仮定して計算され、１００ｋＨｚにシフトされた３個の多重シンクラスタセットを使用することができる。
【０２３４】
オプション２．１００ｋＨｚのチャネルラスタを仮定して計算された単一のシンクラスタを使用することができる。この場合、ＵＥは、事前に定義された各位置に暗黙的に５ｋＨｚにシフトされた３個のシンクラスタが位置すると仮定することができる。
【０２３５】
図７ａは、III−２節のオプション１によるシンクラスタの例示を示し、図７ｂは、III−２節のオプション２によるシンクラスタの例示を示す。
【０２３６】
まず、チャネルラスタは、１００ｋＨｚ単位である。したがって、１５ｋＨｚのＳＣＳの倍数は、チャネルラスタと整列されない。
【０２３７】
図７ａを参照すると、３個のシンクラスタは、１００ｋＨｚ単位にシフトされて配置されることができる。各シンクラスタは、１．２ＭＨｚ間隔毎に配置されることができる。
【０２３８】
図７ｂを参照すると、３個のシンクラスタは、５ｋＨｚ単位にシフトされて配置されることができる。各シンクラスタは、１ＭＨｚ間隔毎に配置されることができる。
【０２３９】
前記オプション１の場合、各セットのシンクラスタは、３００ｋＨｚの有効チャネルラスタを仮定して計算されることができ、各シンクラスタは、１．２ＭＨｚ毎に配置されることができる。オプション２の場合、シンクラスタは、１００ｋＨｚの実際チャネルラスタを仮定して計算されることができ、各シンクラスタは１．０ＭＨｚ毎に配置されることができる。特定バンドに対してＳＳ相関度計算の総回数を考慮すると、オプション１は、オプション２より効率的である。
【０２４０】
オプション２を採択する場合、ＵＥは、改善されたセル検出動作を使用することで、セル検索を速く実行することができ、電力消費を減らすことができる。また、ＰＢＣＨの帯域幅が減少されるため、１ＭＨｚのシンクラスタがＵＥ複雑性を大きく増加させない場合もある。この場合、ＵＥは、ＲＦ部のチューニングを該当シンクラスタで実行し、残りの±５ｋＨｚまでのオフセットは、該当ＳＳブロックの検出過程で共に検出されるＣＦＯを介して処理できる。この場合、ＵＥが実際実行するＳＳブロックの検出動作は、大きく減少できる。また、ＵＥがＳＳブロックを検出した場合、ＵＥは、該当オフセットに対する情報をＭＩＢを介して取得できるようにすることによって、ＲＭＳＩ（ｒｅｍａｉｎｉｎｇ  ｍｉｎｉｍｕｍ  ｓｙｓｔｅｍ  ｉｎｆｏｒｍａｔｉｏｎ）受信性能向上を得る方法も考慮することができる。したがって、下記のように提案することもできる。
【０２４１】
提案：１００ｋＨｚのチャネルラスタを使用する場合、オプション２を使用することもできる。
【０２４２】
前記オプション１に基づいて、既存ＮＲ周波数帯域に対してシンクラスタの個数を下記の表のように整理できる。
【０２４３】
【表２０】
2020500453.tif 000025
【０２４４】
ΔＦＳＲは、３個のシンクラスタのうち、各シンクラスタが周波数軸でΔＦＳＲに指示された間隔毎に位置することを示す。前記表において、ＬＴＥからリファーミングされた帯域で１００ｋＨｚのチャネル帯域幅を使用する場合、１００ｋＨｚ毎にシフトされた３個のシンクラスタが使われることができる。各シンクラスタは、３００ｋＨｚのチャネルラスタを仮定して計算されることができる。
【０２４５】
前記表の帯域ｎ５に対して、例を挙げて説明すると、帯域幅は２５ＭＨｚであり、ΔＦＣＲは１００ｋＨｚである。このとき、データの副搬送波間隔（ＳＣＳＤａｔａ）が１５ｋＨｚである場合、シンクラスタの個数は６０であり、データの副搬送波間隔（ＳＣＳＤａｔａ）が３０ｋＨｚである場合、シンクラスタの個数は４５である。したがって、帯域ｎ５で活用可能なシンクラスタの総個数は、１０５（＝６０＋４５）である。
【０２４６】
一方、前記オプション２に基づいて、既存ＮＲ周波数帯域に対してシンクラスタを下記の表のように整理できる。
【０２４７】
【表２１】
2020500453.tif 000026
【０２４８】
前記表において、ΔＦＳＲは、３個のシンクラスタのうち、各シンクラスタが周波数軸でΔＦＳＲに指示された間隔毎に位置することを示す。前記表において、ＬＴＥからリファーミングされた帯域で１００ｋＨｚのチャネル帯域幅を使用する場合、シンクラスタは、１００ｋＨｚのチャネルラスタを仮定して計算されることができる。ＵＥは、各位置で５ｋＨｚ毎にシフトされた３個のシンクラスタが存在すると仮定することができる。
【０２４９】
III−３．ＳＣＳ基盤のチャネルラスタに対するシンクラスタ
【０２５０】
ＳＣＳ基盤のチャネルラスタを使用する周波数帯域の場合、ＳＣＳ基盤のチャネルラスタと流動的な（ｆｌｏａｔｉｎｇ）同期のオフセットとの間に単位が互いに異なるため、少しの制限がある。したがって、シンクラスタは、１２０ｋＨｚ及び２４０ｋＨｚのＳＣＳＳＳに対して、各々、２番目または４番目のデータＲＥを指示することができる。
【０２５１】
これに対して、ＳＣＳ基盤のチャネルラスタを使用する周波数帯域のために、データとＳＳブロックが混合されたヌメロロジーの場合、二つの方法を考慮することができる。
【０２５２】
オプション３）ＳＣＳ基盤のチャネルラスタに対してIII−２節のオプション１及びオプション２と類似する接近方式を使用することができる。
【０２５３】
オプション４）ＳＡ（ｓｔａｎｄ  ａｌｏｎｅ）配置のために、チャネルラスタを使用することに対して制限をおくことができる。
【０２５４】
図８ａは、III−３節のオプション３によるシンクラスタの例示を示し、図８ｂは、III−２節のオプション４によるシンクラスタの例示を示す。
【０２５５】
図８ａを参照すると、ＳＣＳ基盤のチャネルラスタに対して、データとＳＳブロックとの間に混合ヌメロロジーが使われる場合、１２０ｋＨｚのＳＣＳＳＳに対するシンクラスタの割当が示されている。そして、図８ｂを参照すると、ＳＣＳ基盤のチャネルラスタに対して、データとＳＳブロックとの間に混合ヌメロロジーが使われる場合、２４０ｋＨｚのＳＣＳＳＳに対するシンクラスタの割当が示されている。
【０２５６】
オプション３を使用すると、流動（ｆｌｏａｔｉｎｇ）同期の制限に関係なく、全てのチャネルラスタにＮＲが配置されることができる。しかし、オプション３は、オプション４に比べて、ＵＥが２倍乃至４倍の多くの同期過程をすることが必要である。オプション４の場合、チャネルラスタ使用に制限がある。例えば、２番目また４番目のチャネルラスタは、各々、１２０ｋＨｚ及び２４０ｋＨｚ  ＳＣＳＳＳを使用するＳＡ（ｓｔａｎｄ  ａｌｏｎｅ）環境でのみ使われることができる。ＬＴＥ／ＬＴＥ−Ａの帯域よりＮＲ帯域が相対的に広い点を考慮する時、ＳＣＳ基盤のチャネルラスタを使用する周波数帯域に対してデータとＳＳＢとの間に混合ヌメロロジーを使用する、オプション４がより効率的である。
【０２５７】
したがって、下記のように提案されることができる。
【０２５８】
ＳＣＳ基盤のチャネルラスタを使用するＮＲ周波数帯域の場合、シンクラスタに対して整理すると、下記の表の通りである。
【０２５９】
【表２２】
2020500453.tif 000027
【０２６０】
前記表において、ΔＦＳＲは、３個のシンクラスタのうち、各シンクラスタが周波数軸でΔＦＳＲに指示された間隔毎に位置することを示す。ＳＣＳ基盤のラスタでデータと同期との間に混合ヌメロロジーを使用する場合、流動的な同期に対する制限によってＳＣＳオフセットを有する２／４多重シンクラスタがオプション３のために使われることができる。オプション４を使用すると、多重シンクラスタによるチャネルラスタの短所を克服することができる。
【０２６１】
III−４．ＮＲ  ｎ４１帯域に対するシンクラスタ
【０２６２】
一方、ｎ４１帯域でＳＣＳＳＳを考慮する必要がある。帯域４１で下記のように２個のオプションが存在できる。
【０２６３】
オプション１：３０ｋＨｚまたは１５ｋＨｚのうちいずれか一つの値に固定
【０２６４】
オプション２：１５ｋＨｚ及び３０ｋＨｚを基本ＳＣＳｓｓとして使用
【０２６５】
より大きいシンクラスタは、セル検出時間及び電力消費側面でＵＥに有利であるため、バンド４１に対してはオプション１を選択した方がよい。
【０２６６】
ｎ４１の最小チャネル帯域幅が１０ＭＨｚであるため、基本１５ｋＨｚのＳＣＳのサポートによるシンクラスタは、基本３０ｋＨｚのＳＣＳの場合に比べて多少制限的である。また、高い周波数範囲では大きいＳＣＳがもっと多く活用されることができる。したがって、下記のように提案されることができる。
【０２６７】
提案：ｎ４１帯域のために、基本ＳＣＳとして、１５ｋＨｚ及び３０ｋＨｚの両方ともを使用することができる。
【０２６８】
また、シンクラスタと関連して、ＮＲではＵＥがＳＳブロック検出を実行した後、ＲＭＳＩ受信のために、ＳＳブロック上のＭＩＢは、ＲＭＳＩの実際位置を知らせる情報が含まなければならない。それに対し、ＵＥの複雑度や所要時間を考慮して、シンクラスタを大きく定義した場合、前記情報を表現するためのビットの大きさも増加するようになる。このようなビットの増加は、結果的にＭＩＢの符号化率を減少させることによって、ＳＳブロックの受信性能低下を引き起こす。
【０２６９】
したがって、本節では追加的にこのようなＲＭＳＩの位置を指示するためのシグナリングに対して提案する。
【０２７０】
図９は、ＲＭＳＩの位置を指示するためのシグナリングの例示を示す。
【０２７１】
図９に示すように、ＭＩＢ上に１ビットの情報を追加することができる。前記１ビットによって、ＲＭＳＩ送信のために、データ領域の周波数軸オフセットは、図９に示すように定義されることができる。
【０２７２】
図１０は、本明細書の開示によるＵＥの動作を簡略に示す流れ図である。
【０２７３】
図１０を参照すると、ユーザ装置（ＵＥ）は、多数のＳＳＢの周波数位置を決定する。そして、前記ＵＥは、前記多数のＳＳＢのうち少なくとも一つのＳＳＢを受信する。前記多数のＳＳＢは、あらかじめ決定されたオフセットほど互いに離隔されて配置されることができる。ここで、前記あらかじめ決定されたオフセットは、１００ｋＨｚである。前記少なくとも一つのＳＳＢは、周波数軸で１．２ＭＨｚの間隔に位置できる。前記多数のＳＳＢは、少なくとも三つのＳＳＢを含むことができる。
【０２７４】
前記少なくとも一つのＳＳＢは、セルの中心周波数に位置しない。
【０２７５】
前記周波数位置は、シンクラスタ（ｓｙｎｃｈｒｏｎｉｚａｔｉｏｎ  ｒａｓｔｅｒ）により定義されることができる。ここで、前記シンクラスタは、チャネルラスタと異なる。
【０２７６】
本明細書の開示によると、シンクラスタは、ＵＥがシステム情報を取得するときに使われるＳＳブロックの周波数位置を示す。ＳＳブロックの周波数位置は、対応する下記の表のようにＧＳＣＮ番号を使用してＳＳＲＥＦに定義されることができる。
【０２７７】
【表２３】
2020500453.tif 000028
【０２７８】
下記には各バンドに対するシンクラスタが示されている。ＧＳＣＮ間の距離は、下記にｓｔｅｐ  ｓｉｚｅで表れている。
【０２７９】
【表２４】
2020500453.tif 000029
【０２８０】
以上で説明した、本発明の実施例は、多様な手段を介して実装されることができる。例えば、本発明の実施例は、ハードウェア、ファームウェア（ｆｉｒｍｗａｒｅ）、ソフトウェアまたはそれらの結合などにより実装されることができる。具体的には図面を参照して説明する。図１１は、本明細書の開示が実装される無線機器及び基地局を示すブロック図である。
【０２８１】
図１１を参照すると、無線機器１００及び基地局２００は、本明細書の開示を実装することができる。
【０２８２】
図示された無線機器１００は、プロセッサ１０１、メモリ１０２、及びトランシーバ１０３を含む。同様に、図示された基地局２００は、プロセッサ２０１、メモリ２０２、及びトランシーバ２０３を含む。図示されたプロセッサ１０１、２０１、メモリ１０２、２０２、及びトランシーバ１０３、２０３は、各々、別途のチップで実装され、または少なくとも二つ以上のブロック／機能が一つのチップを介して実装されることができる。
【０２８３】
前記トランシーバ１０３、２０３は、送信機（ｔｒａｎｓｍｉｔｔｅｒ）及び受信機（ｒｅｃｅｉｖｅｒ）を含む。特定の動作が実行される場合、送信機及び受信機のうちいずれか一つの動作のみが実行され、または送信機及び受信機の動作が両方とも実行されることができる。前記トランシーバ１０３、２０３は、無線信号を送信及び／または受信する一つ以上のアンテナを含むことができる。また、前記トランシーバ１０３、２０３は、受信信号及び／または送信信号の増幅のための増幅器と、特定の周波数帯域上への送信のためのバンドパスフィルタと、を含むことができる。
【０２８４】
前記プロセッサ１０１、２０１は、本明細書で提案された機能、過程及び／または方法を実装することができる。前記プロセッサ１０１、２０１は、エンコーダとデコーダを含むことができる。例えば、プロセッサ１０１、２０２は、前述した内容による動作を実行することができる。このようなプロセッサ１０１、２０１は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、データ処理装置及び／またはベースバンド信号及び無線信号を相互変換する変換器を含むことができる。
【０２８５】
メモリ１０２、２０２は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。
【０２８６】
図１２は、図１１に示す無線機器のトランシーバの詳細ブロック図である。
【０２８７】
図１２を参照すると、トランシーバ１１０は、送信機１１１と受信機１１２を含む。前記送信機１１１は、ＤＦＴ（Ｄｉｓｃｒｅｔｅ  Ｆｏｕｒｉｅｒ  Ｔｒａｎｓｆｏｒｍ）部１１１１、副搬送波マッパ１１１２、ＩＦＦＴ部１１１３、及びＣＰ挿入部１１１４、無線送信部１１１５を含む。前記送信機１１１は、変調器（ｍｏｄｕｌａｔｏｒ）をさらに含むことができる。また、例えば、スクランブルユニット（図示せず；ｓｃｒａｍｂｌｅ  ｕｎｉｔ）、モジュレーションマッパ（図示せず；ｍｏｄｕｌａｔｉｏｎ  ｍａｐｐｅｒ）、レイヤマッパ（図示せず；ｌａｙｅｒ  ｍａｐｐｅｒ）、及びレイヤパーミュテータ（図示せず；ｌａｙｅｒ  ｐｅｒｍｕｔａｔｏｒ）をさらに含むことができ、これは前記ＤＦＴ部１１１１の前に配置されることができる。即ち、ＰＡＰＲ（ｐｅａｋ−ｔｏ−ａｖｅｒａｇｅ  ｐｏｗｅｒ  ｒａｔｉｏ）の増加を防止するために、前記送信機１１１は、副搬送波に信号をマッピングする以前に情報をＤＦＴ部１１１１を経るようにする。ＤＦＴ部１１１１により拡散（ｓｐｒｅａｄｉｎｇ）（または、同じ意味でプリコーディング）された信号を副搬送波マッパ１１１２を介して副搬送波マッピングをした後、再びＩＦＦＴ（Ｉｎｖｅｒｓｅ  Ｆａｓｔ  Ｆｏｕｒｉｅｒ  Ｔｒａｎｓｆｏｒｍ）部１１１３を経て時間軸上の信号を作る。
【０２８８】
ＤＦＴ部１１１１は、入力されるシンボルにＤＦＴを実行して複素数シンボル（ｃｏｍｐｌｅｘ−ｖａｌｕｅｄシンボル）を出力する。例えば、Ｎｔｘシンボルが入力される場合（ただし、Ｎｔｘは自然数）、ＤＦＴの大きさ（ｓｉｚｅ）はＮｔｘである。ＤＦＴ部１１１１は、変換プリコーダ（ｔｒａｎｓｆｏｒｍ  ｐｒｅｃｏｄｅｒ）とも呼ばれる。副搬送波マッパ１１１２は、前記複素数シンボルを周波数領域の各副搬送波にマッピングさせる。前記複素数シンボルは、データ送信のために割り当てられたリソースブロックに対応するリソース要素にマッピングされることができる。副搬送波マッパ１１１２は、リソースマッパ（ｒｅｓｏｕｒｃｅ  ｅｌｅｍｅｎｔ  ｍａｐｐｅｒ）とも呼ばれる。ＩＦＦＴ部１１１３は、入力されるシンボルに対してＩＦＦＴを実行して時間領域信号であるデータのための基本帯域（ｂａｓｅｂａｎｄ、ベースバンド）信号を出力する。ＣＰ挿入部１１１４は、データのための基本帯域信号の後部分の一部を複写してデータのための基本帯域信号の前部分に挿入する。ＣＰ挿入を介してＩＳＩ（Ｉｎｔｅｒ−シンボルＩｎｔｅｒｆｅｒｅｎｃｅ）、ＩＣＩ（Ｉｎｔｅｒ−Ｃａｒｒｉｅｒ  Ｉｎｔｅｒｆｅｒｅｎｃｅ）が防止されて多重経路チャネルでも直交性が維持されることができる。
【０２８９】
他方、受信機１１２は、無線受信部１１２１、ＣＰ除去部１１２２、ＦＦＴ部１１２３、及び等化部１１２４などを含む。前記受信機１１２の無線受信部１１２１、ＣＰ除去部１１２２、ＦＦＴ部１１２３は、前記送信機１１１での無線送信部１１１５、ＣＰ挿入部１１１４、ＩＦＦＴ部１１１３の逆機能を実行する。前記受信機１１２は、復調器（ｄｅｍｏｄｕｌａｔｏｒ）をさらに含むことができる。
【図１】
2020500453.tif 000030
【図２】
2020500453.tif 000031
【図３】
2020500453.tif 000032
【図４】
2020500453.tif 000033
【図５】
2020500453.tif 000034
【図６】
2020500453.tif 000035
【図７ａ】
2020500453.tif 000036
【図７ｂ】
2020500453.tif 000037
【図８ａ】
2020500453.tif 000038
【図８ｂ】
2020500453.tif 000039
【図９】
2020500453.tif 000040
【図１０】
2020500453.tif 000041
【図１１】
2020500453.tif 000042
【図１２】
2020500453.tif 000043
【手続補正書】
【提出日】平成31年4月5日(2019.4.5)
【手続補正１】
【補正対象書類名】特許請求の範囲
【補正対象項目名】全文
【補正方法】変更
【補正の内容】
【特許請求の範囲】
【請求項１】
ユーザ装置がＳＳＢ（Ｓｙｎｃｈｒｏｎｉｚａｔｉｏｎ  Ｓｉｇｎａｌ  Ｂｌｏｃｋ）を受信する方法であって、
少なくとも一つのＳＳＢのために少なくとも一つの周波数位置を決定するステップであって、前記少なくとも一つの周波数位置は、複数の周波数位置の組に含まれる、ステップと、
前記決定された少なくとも一つの周波数位置に基づいて、セルから、前記少なくとも一つのＳＳＢを検出するステップと、を含み、
前記組の中の前記複数の周波数位置は、あらかじめ決定されたオフセットだけ互いに離隔されるように設定され、
前記組の開始点は、周波数軸で１．２ＭＨｚの間隔に基づいて決定される、方法。
【請求項２】
前記複数の周波数位置は、少なくとも三つの周波数位置を含む、請求項１に記載の方法。
【請求項３】
前記あらかじめ決定されたオフセットは、１００ｋＨｚである、請求項１に記載の方法。
【請求項４】
前記少なくとも一つのＳＳＢは、セルの中心周波数に位置しない、請求項１に記載の方法。
【請求項５】
前記周波数位置は、シンクラスタにより定義される、請求項１に記載の方法。
【請求項６】
前記シンクラスタは、チャネルラスタと異なる、請求項５に記載の方法。
【請求項７】
前記少なくとも一つのＳＳＢは、
ＰＳＳ（ｐｒｉｍａｒｙ  ｓｙｎｃｈｒｏｎｉｚａｔｉｏｎ  ｓｉｇｎａｌ）、ＳＳＳ（ｓｅｃｏｎｄａｒｙ  ｓｙｎｃｈｒｏｎｉｚａｔｉｏｎ  ｓｉｇｎａｌ）、及びＰＢＣＨ（ｐｈｙｓｉｃａｌ  ｂｒｏａｄｃａｓｔ  ｃｈａｎｎｅｌ）を含む、請求項１に記載の方法。
【請求項８】
ＳＳＢ（Ｓｙｎｃｈｒｏｎｉｚａｔｉｏｎ  Ｓｉｇｎａｌ  Ｂｌｏｃｋ）を受信するユーザ装置であって、
送受信部と、
前記送受信部を制御するように設定されるプロセッサと、を含み、
前記プロセッサは、少なくとも一つのＳＳＢのために少なくとも一つの周波数位置を決定するように設定され、
前記少なくとも一つの周波数位置は、複数の周波数位置の組に含まれ、
前記プロセッサは、前記決定された少なくとも一つの周波数位置に基づいて、セルから、前記少なくとも一つのＳＳＢを検出するように設定され、
前記組の中の前記複数の周波数位置は、あらかじめ決定されたオフセットだけ互いに離隔されるように設定され、
前記組の開始点は、周波数軸で１．２ＭＨｚの間隔に基づいて決定される、ユーザ装置。
【請求項９】
前記複数の周波数位置は、少なくとも三つの周波数位置を含む、請求項８に記載のユーザ装置。
【請求項１０】
前記あらかじめ決定されたオフセットは、１００ｋＨｚである、請求項８に記載のユーザ装置。
【請求項１１】
前記少なくとも一つのＳＳＢは、セルの中心周波数に位置しない、請求項８に記載のユーザ装置。
【請求項１２】
前記周波数位置は、シンクラスタにより定義される、請求項８に記載のユーザ装置。
【請求項１３】
前記シンクラスタは、チャネルラスタと異なる、請求項１２に記載のユーザ装置。
【請求項１４】
前記少なくとも一つのＳＳＢは、
ＰＳＳ（ｐｒｉｍａｒｙ  ｓｙｎｃｈｒｏｎｉｚａｔｉｏｎ  ｓｉｇｎａｌ）、ＳＳＳ（ｓｅｃｏｎｄａｒｙ  ｓｙｎｃｈｒｏｎｉｚａｔｉｏｎ  ｓｉｇｎａｌ）、及びＰＢＣＨ（ｐｈｙｓｉｃａｌ  ｂｒｏａｄｃａｓｔ  ｃｈａｎｎｅｌ）を含む、請求項８に記載のユーザ装置。
【国際調査報告】
2020500453.tif 000044
2020500453.tif 000045
2020500453.tif 000046
2020500453.tif 000047